(57)【要約】      （修正有）【課題】植木鉢のサイズにかかわらず、簡易構造であっても、比較的長期間にわたって、水の供給速度を調整し、根腐れの発生が少ない植木鉢を提供する。【解決手段】外鉢体１２と、当該外鉢体に、給水部１５としての隙間をもって収容される内鉢体１４と、を備えてなる植木鉢１０であって、所定場所に設けた上下位置可変部材１３を介して、外鉢体と、内鉢体とが、連結されており、内鉢体の側壁の上端面に折り返し部１４ａが設けてあり、当該折り返し部と、外鉢体の側壁の上端面と、の間に、弾性部材１６ａを含んで構成されてなるシール部１６が設けてあり、かつ、給水部に貯蔵された水を、内鉢体の内部に、不織布部材２０を介して、供給する。【選択図】図１
2018029564.tif 000002
【特許請求の範囲】
【請求項１】
外鉢体と、当該外鉢体に、給水部としての隙間をもって収容される内鉢体と、を備えてなる植木鉢であって、
前記内鉢体の側壁の上端面に折り返し部が設けてあり、当該折り返し部と、前記外鉢体の側壁の上端面と、の間に、弾性部材を含んで構成されてなるシール部が設けてあり、かつ、
前記給水部に貯蔵された水を、前記内鉢体の内部に、不織布部材を介して、供給することを特徴とする植木鉢。
【請求項２】
前記折り返し部に、前記弾性部材としてのＯ−リングを備えていることを特徴とする請求項１に記載の植木鉢。
【請求項３】
前記外鉢体の内部底面と、前記内鉢体の外部底面とが、上下位置可変部材として、ねじ部が設けてあることを特徴とする請求項１又は２に記載の植木鉢。
【請求項４】
前記内鉢体の底部に、通過孔が設けてあり、当該通過孔を介して、前記不織布部材の一部が、前記給水部としての隙間に到達していることを特徴とする請求項１〜３のいずれか一項に記載の植木鉢。
【請求項５】
前記外鉢体の側壁に、フランジ部が設けてあることを特徴とする請求項１〜４のいずれか一項に記載の植木鉢。
【請求項６】
前記外鉢体及び前記内鉢体、あるいはいずれか一方が、主成分として、ポリシクロヘキサンジメチレンテレフタレート、ポリシクロヘキサンジメチレンテレフタレートのアルコール変性物、およびポリシクロヘキサンジメチレンテレフタレートのグリコール変性物の少なくとも一つを含有することを特徴とする請求項１〜５のいずれか一項に記載の植木鉢。
【請求項７】
前記外鉢体の側壁または前記内鉢体の側壁に、給水目盛が設けてあることを特徴とする請求項１〜６のいずれか一項に記載の植木鉢。
【請求項８】
前記内鉢体の内側に、複数の開口部を有する最内鉢を備えており、当該最内鉢の内部に、多孔質材が充填してあることを特徴とする請求項１〜７のいずれか一項に記載の植木鉢。
【発明の詳細な説明】
【技術分野】
【０００１】
本発明は、植木鉢に関する。特に、簡易構造であっても、比較的長期間にわたって、水の供給速度（水の供給量を含む。以下、同様である。）を調節し、根腐れの発生等が少ない植木鉢に関する。
【背景技術】
【０００２】
従来、植木鉢において、長期にわたる給水の手間を省くとともに、根腐れ防止等を目的として、外鉢体１０２と、当該外鉢体１０２に隙間（Ｉ）をもって収容される内鉢体１０１と、を備えてなる二重植木鉢１０３が提案されている（特許文献１参照）。
より具体的には、図７に示すように、内鉢体１０１の底部に、下方に伸びる脚部１１２が設けてあるとともに、直径が０．５〜３ｍｍの給水口１１１が複数個設けてあり、外鉢体１０２と、内鉢体１０１との隙間（Ｉ）が、給水室となり、当該給水室に供給された水が、複数の給水口１１１を介して、内鉢体１０１の内部に供給される構成の二重植木鉢１０３である。
【０００３】
また、同様に、根腐れ防止等を目的として、植木鉢において、適量の水を根元に給水する植木鉢２０１（植木鉢植物根腐れ防止木片水分調整装置）も提案されている（特許文献２参照）。
より具体的には、図８に示すように、植木鉢２０１の底部に、まさ目取りの木片２０７及び板バネ２０２が設置してあるとともに、毛細管現象を利用して給水するための水上げ繊維テープ２０６が、板バネ２０２の先端に固定配置してある、植木鉢２０１である。
そして、木片２０７に湿気が帯びると、それが膨張して、板バネ２０２を押圧し、さらには、その板バネ２０２が、水上げ繊維テープ２０６を押圧して、給水を止める構成の植木鉢２０１である。
【先行技術文献】
【特許文献】
【０００４】
【特許文献１】特開平９−１９１７７０号（特許請求の範囲）
【特許文献２】特開２００４−６５２２８号（特許請求の範囲）
【発明の開示】
【発明が解決しようとする課題】
【０００５】
しかしながら、特許文献１に開示された二重植木鉢は、外鉢体と、内鉢体との間の当接位置に、シール部が設けられていないことより、給水部の内圧の調整、ひいては、水の供給速度の調節ができなかった。
そのため、給水部から、相当量の過剰水が内鉢体に向かって自由移動することから、根腐れ問題を完全に解決できないという問題が見られた。
【０００６】
また、特許文献２に開示された所定植木鉢は、まさ目取りの木片の吸湿及び乾燥に伴う体積変化を利用しているものの、構造が複雑であるばかりか、事実上、かかる所定木片の吸湿及び乾燥を有効に利用することは、困難であった。
したがって、所定木片と、板バネとの協同で、給水の停止及び開始を、精度良く起こさせることについても、事実上、困難であるという問題が見られた。
【０００７】
そこで、本発明者らは、鋭意検討した結果、簡易構造であっても、外鉢体と、内鉢体との間にシール部を設けることによって、給水部の内圧を調整し、ひいては、比較的長期間、例えば、約１５日間にわたって、水の供給速度を調節できることを見出し、本発明を完成させたものである。
すなわち、本発明の目的は、簡易構造であっても、比較的長期間にわたって、水の供給速度を調節しつつ、根腐れの発生が少ない植木鉢を提供することにある。
【課題を解決するための手段】
【０００８】
本発明によれば、外鉢体と、当該外鉢体に、給水部としての隙間をもって収容される内鉢体と、を備えてなる植木鉢であって、内鉢体の側壁の上端面に折り返し部が設けてあり、当該折り返し部と、外鉢体の側壁の上端面と、の間に、弾性部材を含んで構成されてなるシール部が設けてあり、かつ、給水部に貯蔵された水を、内鉢体の内部に、不織布部材を介して、供給することを特徴とする植木鉢が提供され、上述した問題点を解決することができる。
すなわち、外鉢体と、内鉢体との間の所定位置に、折り返し部と、それに装着された弾性部材から構成されてなるシール部が設けられていることから、簡易な構造であっても、長期間にわたって、内圧の関係で供給速度を調節しつつ、根腐れの発生が少ない植木鉢を提供することができる。
その上、給水部に貯蔵された水を、内鉢体の内部に、不織布部材を介して、毛細管現象等を利用して供給することから、さらに長期間にわたって、適度な範囲で、水の供給速度の調節が可能となる。
【０００９】
また、本発明の植木鉢を構成するにあたり、折り返し部を有しており、当該折り返し部に、弾性部材としてのＯ−リングを備えていることが好ましい。
このように構成することによって、簡易な構造であっても、シール部におけるシール性を精度良く調節することができる。
したがって、より長期間にわたる水の供給速度の調節が可能となり、事実上、簡易構造であっても、自動給水機能を発揮することができる。
【００１０】
また、本発明の植木鉢を構成するにあたり、上下位置可変部材として、ねじ部が設けてあることが好ましい。
このように構成することによって、ねじ部の締め付け具合を変えるだけで、外鉢体における、内鉢体の高さ位置を調整することができる。
したがって、簡易構造であっても、シール部におけるシール性をきめ細かく、かつ精度良く調節することができる。
【００１１】
また、本発明の植木鉢を構成するにあたり、内鉢体の底部に、通過孔が設けてあり、当該通過孔を介して、不織布部材の一部が、給水部としての隙間に到達していることが好ましい。
このように構成することによって、不織布部材の毛細管現象を利用して、確実に水の供給速度の調節が可能となる。
【００１２】
また、本発明の植木鉢を構成するにあたり、外鉢体の側壁に、フランジ部が設けてあることが好ましい。
このように構成することによって、外鉢体に設けたフランジ部と、内鉢体の側壁が当接し、内鉢体の高さ方向の位置きめが容易となる。
したがって、簡易構造であっても、シール部におけるシール性をきめ細かく、かつ精度良く調節することができる。
【００１３】
また、本発明の植木鉢を構成するにあたり、外鉢体及び内鉢体、あるいはいずれか一方が、主成分として、ポリシクロヘキサンジメチレンテレフタレート、ポリシクロヘキサンジメチレンテレフタレートのアルコール変性物、およびポリシクロヘキサンジメチレンテレフタレートのグリコール変性物の少なくとも一つを含有することが好ましい。
このように構成材料を制限することにより、他のポリエステル樹脂等と比較して、植木鉢における耐加水分解性、透明性、あるいは、製造時におけるレーザー溶着性等を高めることができる。
特に、かかる構成樹脂の透明性を生かした場合、給水部における現行水量を明確に目視観察できるため、次に、給水すべき時間を容易に推定することもできる。
【００１４】
また、本発明の植木鉢を構成するにあたり、外鉢体の側壁または内鉢体の側壁に、給水目盛が設けてあることが好ましい。
このように構成することにより、外鉢体の側壁または内鉢体の側壁、あるいは両方に、給水目盛が設けてあれば、内鉢体を所定位置に固定配置する前に、水を入れたとしても、後で、余分な水が、外部に流出することを防止することができる。
また、かかる目盛りを利用して、給水部における現行水量を明確に目視観察できるため、次に、給水すべき時間を容易に推定することもできる。
【００１５】
また、本発明の植木鉢を構成するにあたり、内鉢体の内側に、複数の開口部を有する最内鉢を備えており、当該最内鉢の内部に、多孔質材が充填してあることが好ましい。
このように構成することにより、多孔質材、例えば、粘土やカーボン等を６００〜１２００℃の温度で焼成してなる、内部に気泡を多数含んでなる軽量物であって、比重が０．２〜０．８ｇ／ｃｍ3の範囲であって、それ自体、所定の保水性や防カビ性等を有しており、植木類の生育を助けることができる。
また、多孔質材が軽量であることから、不織布部材における毛細管現象を阻害することもなく、さらには、多孔質材を取り除いて、植木類を容易に移植することができるため、その間に、植木鉢の清掃等を行うこともできる。
その上、多孔質材の平均粒径が１〜１８ｍｍと幅広く、植木の種類や用途、あるいは植木鉢の種類やサイズによって、平均粒径１〜４ｍｍの多孔質材、平均粒径５〜８ｍｍの多孔質材、平均粒径１０〜１８ｍｍの多孔質材を、それぞれ使いわけたり、混合使用したりすることが好ましい。
なお、このような多孔質材として、ハイドロボール、セラミックコーン、レカトン、ネオコール等の商品名で販売されている市販品を用いることもできる。
【図面の簡単な説明】
【００１６】
【図１】図１は、植木鉢の全体の概略を説明するために供する図である。
【図２】図２（ａ）〜（ｂ）は、図１の植木鉢における外鉢体の側面および平面をそれぞれ説明するために供する図である。
【図３】図３（ａ）〜（ｂ）は、図１の植木鉢における内鉢体の側面および平面をそれぞれ説明するために供する図である。
【図４】図４（ａ）は、不織布部材の平面を説明するために供する図であり、図４（ｂ）は、不織布部材の側面を説明するために供する図であり、図４（ｃ）は、給水する植木(観葉植物)を説明するために供する図である。
【図５】図５は、別の植木鉢の構成を説明するために供する図である。
【図６】図６（ａ）〜（ｃ）は、図５に示される別の植木鉢の構成部材（最内鉢、内鉢体、外鉢体）を説明するために供する図である。
【図７】図７は、従来の植木鉢（二重植木鉢）を説明するために供する図である。
【図８】図８は、従来の別の植木鉢を説明するために供する図である。
【発明を実施するための形態】
【００１７】
［第１の実施形態］
第１の実施形態は、図１に例示されるように、外鉢体１２と、当該外鉢体１２に、給水部１５としての隙間をもって収容される内鉢体１４と、を備えてなる植木鉢１０であって、外鉢体１２の内部底面と、内鉢体１４の外部底面とが、上下位置可変部材１３（１２ｄ、１４ｄ）を介して、連結されているとともに、内鉢体１４の側壁１４ｂの上端面に折り返し部１４ａが設けてあり、当該折り返し部１４ａと、外鉢体１２の側壁１２ｂの上端面と、の間に、弾性部材１６ａを含んで構成されてなるシール部１６が設けてあり、かつ、給水部１５に貯蔵された水を、内鉢体１４の内部に、不織布部材２０を介して、供給することを特徴とする植木鉢１０である。
【００１８】
１．外鉢体
植木鉢１０における外鉢体１２の形状については、特に制限されるものではないが、一例として、図２に示すように、基本的に、底部１２ｃを備えた円筒形であって、その内部に、例えば、半円錐台形の内鉢体１４を固定配置した場合に、当該内鉢体１４との間に隙間が形成されて、それが給水部１５として機能する構成であることが好ましい。
したがって、図２に例示される外鉢体１２の高さ（Ｌ１）は、底部１２ｃから、シール部１６の弾性部材（シール部材）１６ａに挿入される側壁１２ｂ´の上端面までの高さを意味しているが、通常、３．５〜１２．５ｃｍの範囲内の値であることが好ましく、４．５〜８．５ｃｍの範囲内の値であることがより好ましい。
また、外鉢体１２の高さ（Ｌ２）は、底部１２ｃから、フランジ部１２ａの上端面までの高さを意味しているが、通常、３〜１２ｃｍの範囲内の値であることが好ましく、４〜８ｃｍの範囲内の値であることがより好ましい。
【００１９】
また、図２に示すように、外鉢体１２の側壁１２ｂに沿って、フランジ部（突出部）１２ａが設けてあることが好ましい。
この理由は、このように構成することによって、外鉢体に設けてあり、水平方向に突出したフランジ部と、内鉢体の側壁が当接し、内鉢体の高さ方向の位置きめが容易となるためである。
すなわち、外鉢体のフランジ部の下面と、内鉢体の側壁の端面とが、所定面積をもって、確実に当接することから、シール部におけるシール性をきめ細かく、かつ精度良く調節することができる。
【００２０】
したがって、図２に例示される外鉢体１２の形態に関し、上部に設けてある開口部の直径（Ｗ１）を、通常、３〜１２ｃｍの範囲内の値とすることが好ましく、４〜１０ｃｍの範囲内の値とすることがより好ましく、５〜８ｃｍの範囲内の値とすることがさらに好ましい。
そして、フランジ部１２ａを含めた外径（Ｗ２）を、通常、開口部の直径（Ｗ１）よりも、０．３〜４ｃｍ大きくすることが好ましく、０．５〜２ｃｍ大きくすることがより好ましく、１〜１．５ｃｍ大きくすることがさらに好ましい。
なお、フランジ部の形態については、特に制限されるものではないが、例えば、外鉢体の側壁に沿って、連続的あるいは断続的に形成されてなる、厚さ０．１〜３ｍｍのドーナツ状物（つば状物）であることが好ましい。
【００２１】
２．内鉢体
（１）形態
また、植木鉢１０における内鉢体１４の形態については、特に制限されるものではないが、図３に示すように、基本的に、外鉢体１２よりも全体サイズが小さい円筒形であって、外鉢体１２の内部に、内鉢体１４を固定配置できるように構成してあり、かつ、それらの間に隙間が形成され、それが、水（Ｗ）を貯蔵するとともに、徐々に水を供給するための給水部１５として機能する構成であることが好ましい。
そして、内鉢体１４の形態に関し、その側壁１２ｂ´の上端面に折り返し部１４ａが設けてあり、当該折り返し部１４ａと、外鉢体１２の側壁１２ｂの上端面と、の間に、後述する弾性部材１６ａを含んでなるシール部１６を有する構成であることを特徴とする。
したがって、図１に示すように、外鉢体１２と、内鉢体１４との間の所定位置に、折り返し部１４ａと、その内部に装着された弾性部材１６ａと、から構成されてなるシール部１６が設けられていることから、弾性部材１６ａと、外鉢体１２の側壁１２ｂの上端面等が密着し、しかも、側壁１２ｂの一部が、弾性部材１６ａの内部に挿入されて、所定のシール性を発揮するものである。
すなわち、このように簡易構造であっても、比較的長期間、例えば、１５日間以上にわたって、シール部１６が、給水部１５の内圧（負圧）を調整し、その関係で水の供給速度を調節しつつ、適量の水を、ゆっくりと供給するため、根腐れの発生を抑制することができる。
【００２２】
また、図３に例示される内鉢体１４の形態に関し、高さ（Ｌ３）は、折り返し部１４ａの高さ等を含んでいるが、例えば、３．５〜１２．５ｃｍの範囲内の値であることが好ましく、４．５〜８．５ｃｍの範囲内の値であることがより好ましい。
さらに、内鉢体１４の高さ（Ｌ４）は、図２に例示される外鉢体１２の高さ（Ｌ１）から、その底部の厚さ（約１ｍｍ）をのぞいた値に相当するが、例えば、３〜１２ｃｍの範囲内の値であることが好ましく、４〜８ｃｍの範囲内の値であることがより好ましい。
【００２３】
また、図３に例示される内鉢体１４の形態に関し、縦方向断面として、底面１４ｃの裏側に設けた、円筒形等の脚部１４ｅから、上方の折り返し部１４ａに向かって、直径が拡大するテーパ状であることが好ましい。
より具体的には、鉛直方向と、内鉢体１４の側壁がなす角度として、２〜４５°の範囲内の値とすることが好ましく、５〜３０°の範囲内の値とすることがより好ましく、１０〜２０°の範囲内の値とすることがさらに好ましい。
したがって、底面１４ｃの直径（Ｗ５）を、通常、２〜８ｃｍの範囲内の値とすることが好ましく、３〜７ｃｍの範囲内の値とすることがより好ましく、４〜６ｃｍの範囲内の値とすることがさらに好ましい。
【００２４】
そして、折り返し部１４ａにおける内径（開口部内径、Ｗ３）を、通常、底面１４ｃの直径（Ｗ５）よりも、０．３〜４ｃｍ大きくすることが好ましく、０．８〜３ｃｍ大きくすることがより好ましく、１．２〜２．５ｃｍ大きくすることがさらに好ましい。
その上、折り返し部１４ａにおける外径（開口部外径、Ｗ４）を、シール部の大きさも考慮して、通常、折り返し部１４ａにおける内径（開口部内径、Ｗ３）よりも、０．２〜３ｃｍ大きくすることが好ましく、０．５〜２ｃｍ大きくすることがより好ましく、０．８〜１．５ｃｍ大きくすることがさらに好ましい。
その他、底面１４ｃの裏側に設けた円筒形等の脚部１４ｅの高さ（Ｌ５）は、水の通過口１４ｈの大きさ、ひいては、弾性部材１６ａの取り付け性や固定性にも影響するが、通常、０．２〜３ｃｍの範囲内の値とすることが好ましく、０．３〜２ｃｍの範囲内の値とすることがより好ましい。
【００２５】
（２）最内鉢
また、植木鉢１０に植える植物３０とほぼ直接的に接して、それを移植等する作業が容易なように、図６（ａ）に例示するように、内鉢体１４の内側に、当該内鉢体１４の付属部として、最内鉢５０ａを設けることも好ましい。
より具体的には、かかる最内鉢５０ａは、内鉢体の内部に収容されるカップ状物であって、最内鉢の大きさにもよるが、例えば、１〜３０個のスリット孔５０ａ´（幅：０．１〜５ｍｍ、長さ：０．５〜３ｃｍ）が設けてある、オレフィン樹脂製カップであることが好ましい。
【００２６】
３．シール部
また、植木鉢１０におけるシール部１６は、図１に例示されるように、内鉢体１４の側壁１４ｂの上端面に折り返し部１４ａが設けてあり、当該折り返し部１４ａと、外鉢体１２の側壁１２ｂ´の上端面と、の間に、弾性部材１６ａが固定配置してなる構成部位である。
すなわち、外鉢体１２と、内鉢体１４との間の所定位置に、折り返し部１４ａと、弾性部材１６ａと、から構成されてなる、給水部１５の内圧、ひいては、水の供給速度を調節するためのシール部１６が設けられていることを特徴とする。
したがって、簡易な構造であっても、長期間にわたって、給水部の内圧（負圧）の関係で水の供給速度を調節しつつ、根腐れの発生が少ない植木鉢を提供することができる。
【００２７】
また、シール部は、内鉢体の一端に設けてある折り返し部に、弾性部材としてのＯ−リングや板状ゴムを配置して、構成してあることが好ましい。
この理由は、このように構成することによって、簡易な構造であっても、シール部における良好なシール性を発揮し、ひいては、より長期間にわたる水の供給速度の調節が可能となるためである。
なお、折り返し部の隙間に、圧接して配置されるべく、Ｏ−リングや板状ゴムの切断面の直径（または、厚さ）を０．２〜５ｍｍの範囲内の値とすることが好ましく、０．５〜３ｍｍの範囲内の値とすることがより好ましい。
【００２８】
その上、シール部の一部を構成する弾性部材の種類についても、特に制限されるものではないが、例えば、シリコーンゴム、オレフィンゴム、スチレン系ゴム、天然ゴム、クロロプレンゴム、ブチルゴム、塩ビゴム、アクリルゴム、ウレタンゴム、フッ素ゴム等の一種単独または二種以上の組み合わせが挙げられる。
特に、これらのうち、シリコーンゴムであれば、良好なシール性はもちろんのこと、優れた耐久性や撥水性等が得られやすく、オレフィンゴムであれば、比較的安価であって、優れた耐水性や撥水性等が得られやすいことから、それぞれ好適である。
【００２９】
４．上下位置可変部材
また、植木鉢１０における上下位置可変部材１３の態様につき、例えば、図２に示すように、雄ねじ部１２ｄ、および、雌ねじ部１４ｄから構成されてなるねじ部、あるいは、一対のテーパ状の入れ子構造であっても好ましい。
この理由は、このようにねじ部等を設けることによって、ねじ部の締め付け具合を変えるだけで、外鉢体の内部における、内鉢体の高さ位置を、所望位置に精度良く調整することができるためである。
また、上下位置可変部材を、内鉢体の底面の中心に設けることによって、外鉢体の内部における、内鉢体の固定位置が定まりやすいとともに、給水部を構成する隙間の幅についても、精度良く調整することができる。
【００３０】
より具体的には、図２や図３に示すように、中心部１２ｆ、１４ｆを定めた上下位置可変部材１３において、そのガイド部材１２ｇ、１４ｇを設けることによって、外鉢体１２の内部における内鉢体１４の固定位置が、より正確に定まるとともに、シール部におけるシール性も向上するという利点がある。
したがって、図２や図３に示すように、上下位置可変部材１３がねじ部である場合、かかる雄ねじのガイド部材１２ｇおよび雌ねじのガイド部材１４ｇを、雄ねじの外側、および雌ねじの内側に、それぞれ設けることによって、上下位置可変部材１３としてのねじ部の機械的強度や寸法安定性を向上させることができる。
更に言えば、このような上下位置可変部材（ねじ部）１３であれば、射出成形法等によって、外鉢体や内鉢体をそれぞれ成形する際に、同時形成できるという製造上の利点もある。
したがって、上下位置可変部材が、このようなねじ部であれば、簡易構造であっても、シール部におけるシール性をきめ細かく調節することができる。
よって、所定の上下位置可変部材により、給水速度を適当範囲に調節し、長期間にわたって水遣りを省略したり、あるいは根腐れを防止したりすることができる。
【００３１】
その他、第２の実施形態で説明するように、別な上下位置可変部材を組み合わせた態様として、シール部の周辺（下方）において、外鉢体と、内鉢体との間に、ねじ部を設けることも好ましい。
この理由は、上下位置可変部材を上下方向において、複数設けることによって、外鉢体と、内鉢体とを、さらに確実螺合できるとともに、外鉢体と、内鉢体との間の相対距離を可変としつつ、シール部におけるシール性を向上できるためである。
【００３２】
５．不織布部材
また、植木鉢１０における不織布部材２０は、図１に示すように、外鉢体１２と、内鉢体１４との隙間である給水部１５に貯蔵された水を、毛細管現象等を利用して、内鉢体１４の内部に、内鉢体１４の下方に設けた、水の通過口１４ｈを介して、徐々に供給するための部位である。
すなわち、給水部１５に貯蔵された水を、内鉢体１４の内部に、水の通過口１４ｈに一部突出した不織布部材２０（２０ａ、２０ｂ）を介し、毛細管現象等を利用して供給することから、さらに長期間にわたって、適度な範囲に、水の供給速度の調節が可能となる。
また、不織布部材２０の形態については、植木鉢の形態やサイズ、あるいは、植木の種類等にもよるが、例えば、図４（ａ）〜（ｂ）に示すように、平面形状としては、ほぼ円形であって、かつ、断面形状としては、ほぼ同一厚さ（ｔ１）の面状部材である。
【００３３】
より具体的には、不織布部材２０の円形部分２０ａの直径（Ｌ１´）を、通常、２〜８ｃｍの範囲内の値とすることが好ましく、３〜７ｃｍの範囲内の値とすることがより好ましく、４〜６ｃｍの範囲内の値とすることがさらに好ましい。
さらには、不織布部材２０の突起部分２０ｂの長さ（Ｌ２´）を、通常、０．１〜５ｃｍの範囲内の値とすることが好ましく、０．３〜３ｃｍの範囲内の値とすることがより好ましく、０．５〜２ｃｍの範囲内の値とすることがさらに好ましい。
【００３４】
なお、不織布部材の構成材料についても、特に制限されるものではないが、例えば、オレフィン繊維、アクリル繊維、ポリエステル繊維、ウレタン繊維、酢酸セルロース繊維、ポリアミド繊維、ポリイミド繊維、絹、木綿等の一種単独または二種以上の繊維材料の組み合わせからなる不織布が挙げられる。
その上、不織布部材において、黒カビ等が発生しやすい場合があることから、上述した構成材料の中に、抗菌剤や抗カビ剤等を、所定量配合することも好ましい。
より具体的には、抗菌剤等の配合量として、不織布部材の全体量に対して、０．１〜１０重量％の範囲内の値とすることが好ましく、０．５〜５重量％の範囲内の値とすることがより好ましく、１〜３重量％の範囲内の値とすることがさらに好ましい。
【００３５】
６．給水部
また、給水部１５は、図１に示すように、外鉢体１２の側壁（内壁）１２ｂと、内鉢体１４の側壁（外壁）１４ｂと、によって形成され、所定量の水を貯水するための隙間である。
したがって、植木鉢のサイズや用途等にもよるが、かかる隙間の幅を０．５〜３０ｍｍの範囲内の値とすることが好ましく、１〜２０ｍｍの範囲内の値とすることがより好ましく、３〜１５ｍｍの範囲内の値とすることがさらに好ましい。
そして、外鉢体１２と、内鉢体１４との間のシール性を向上させたり、外鉢体１２の内部への内鉢体１４の挿入の容易性を向上させたりすることから、当該給水部１５の断面形状を、植木鉢１０の垂直断面の切り口方向から見た場合に、図１に示すように、テーパ状とすることが好ましい。
【００３６】
７．構成材料
（１）外鉢体
また、外鉢体１２を構成する透明ポリエステル樹脂は、主成分としての、所定のポリエステル樹脂から構成してあることが好ましい。
ここで、所定のポリエステル樹脂としては、ポリシクロヘキサンジメチレンテレフタレート（ＰＣＴ）、ポリシクロヘキサンジメチレンテレフタレートのアルコール変性物（ＰＣＴＡ）、およびポリシクロヘキサンジメチレンテレフタレートのグリコール変性物（ＰＣＴＧ）等の一種単独または二種以上の組み合わせであることが好ましい。
この理由は、これらのシクロ環構造を有するポリエステル樹脂であれば、他のポリエステル樹脂等と比較して、耐加水分解性に優れているとともに、透明性や着色性に優れているためである。
また、これらのポリエステル樹脂であれば、着色剤として、非カーボンブラック系の黒色顔料を配合した場合であっても、透明性が高く、より高級感のある蓋部を提供することができるためである。
さらにまた、これらのポリエステル樹脂を用いることにより、機械的強度や耐久性等についても著しく向上させることができるためである。
【００３７】
なお、ＰＣＴは、テレフタル酸を主成分としたジカルボン酸と、１，４−シクロヘキサンジメタノール（ＣＨＤＭ）を主成分としたジオール成分と、を反応させてなる熱結晶化が抑制されたポリエステル樹脂である。かかる市販品として、イーストマンケミカル社製のサーミックス等が挙げられる。
また、ＰＣＴＡは、テレフタル酸およびイソフタル酸を主成分としたジカルボン酸と、１，４−シクロヘキサンジメタノール（ＣＨＤＭ）を主成分としたジオール成分と、を反応させてなる熱結晶化が抑制されたポリエステル樹脂である。かかる市販品として、イーストマンケミカル社製のＥａｓｔａｒＡＮ０１４、ＡＮ００４等が挙げられる。
さらにまた、ＰＣＴＧは、テレフタル酸を主成分としたジカルボン酸と、１，４−シクロヘキサンジメタノール（ＣＨＤＭ）と、エチレングリコールを主成分としたジオール成分と、を反応させてなる熱結晶化が抑制されたポリエステル樹脂である。市販品として、イーストマンケミカル社製のＥａｓｔａｒＤＮ０１１、ＤＮ００４等が挙げられる。
【００３８】
また、透明ポリエステル樹脂は、基本的に透明であるものの、高級感を付与すべく、着色剤の種類や配合量等を適宜調整することによって、所定の可視光透過性を有することが好ましい。
したがって、可視光透過率（ＪＩＳ  Ｒ  ３２１２に準拠して測定される値であって、例えば、波長５００ｎｍ）を７０％以上とすることが好ましく、より好ましくは、８０〜９９．９％の範囲内の値であり、さらに好ましくは９０〜９９％の範囲内の値とすることが好ましい。
【００３９】
また、透明ポリエステル樹脂中に、所定の可視光透過率が維持できることを前提として、各種添加剤を配合することも好ましい。
より具体的には、かかる添加剤として、紫外線吸収剤、老化防止剤、脱水剤、充填剤、導電性材料、熱伝導性材料、可塑剤、無水シリカ、アマイドワックス、イソパラフィン、難燃剤、機能性オリゴマー、カップリング剤、抗菌剤、抗カビ剤等の一種または二種以上の組み合わせが挙げられる。
また、これらの添加剤を加える場合には、添加剤の種類にもよるが、その配合量を、ポリエステル樹脂１００重量部に対して、０．０１〜２０重量部の範囲内の値とすることが好ましく、０．０５〜８重量部の範囲内の値とすることがより好ましく、０．１〜１重量部の範囲内の値とすることがさらに好ましい。
さらに言えば、２−[２−ヒドロキシ−３，５−ビス（α、α−ジメチルベンジル）フェニル]−２Ｈ−ベンゾトリアゾール等の紫外線吸収剤を所定量配合することにより、レーザー溶着性や耐加水分解性等を向上させることが見出されており、好適な添加剤である。
【００４０】
（２）内鉢体
また、内鉢体の構成材料として、外鉢体の構成材料と、異質のものを使用することもできるが、耐加水分解特性や透明性等が優れていることから、主成分として、同様のポリシクロヘキサンジメチレンテレフタレート（ＰＣＴ）、ポリシクロヘキサンジメチレンテレフタレートのアルコール変性物（ＰＣＴＡ）、およびポリシクロヘキサンジメチレンテレフタレートのグリコール変性物（ＰＣＴＧ）等の一種単独または二種以上の組み合わせであることが好ましい。
【００４１】
（３）最内鉢
また、最内鉢の構成材料についても、特に制限されるものではないが、安価で、かつ軽量性が優れていることから、ポリエチレン樹脂、ポリプロピレン樹脂等のオレフィン樹脂であることが好ましい。
更に言えば、ポリエチレン樹脂、ポリプロピレン樹脂等のオレフィン樹脂中に、所定量、例えば、全体量の０．０１〜１０重量％の着色剤を配合し、カラー化したり、着色透明化したりすることも好ましい。
【００４２】
８．使用方法
また、第１の実施形態の植木鉢の使用方法としては、特に制限されるものではないが、下記工程に準じて、実施することが好ましい。
（１）所定容積のポリエチレン製の最内鉢（所定幅、所定長さのスリットつき）の中に、複数の多孔質材を充填した。
（２）次いで、所定高さの観葉植物を、最内鉢に充填された複数の多孔質材の間隙に移植した。
（３）次いで、所定容積であって、底部付近に水の浸入口を有する内鉢体の底部に、所定厚さ、所定直径の円形のポリエチレン製の不織布部材を収容した。
（４）次いで、観葉植物を移植した最内鉢を、ポリエチレン製の不織布部材が配置された内鉢体の内部に収容した。
（５）次いで、所定容積の外鉢体の内部の目盛りに準じて、水を投入した。
（６）次いで、水が投入された外内槽の内部に、観葉植物等が移植されてなる内鉢体を収容した。
（７）最後に、外鉢体と、内鉢体との間に設けてあるねじ部を螺合させて、外鉢体の内部における内鉢体の高さを調整するとともに、弾性部材（Ｏ−リング）が装着されたシール部におけるシール性を調整し、小型観葉植物とした。
（８）その後、１２時間あたりの供給速度を測定し、それが所定値を過度に超えている場合には、外鉢体と、内鉢体との間に設けてあるねじ部をさらに螺合させて、シール部におけるシール性を調整して、供給速度を所定範囲内の値（一例として、２０ｍｍ3／１５日)とした小型観葉植物とした。
【００４３】
［第２の実施形態］
第２の実施形態は、図５に例示されるように、外鉢体５２と、当該外鉢体５２に、給水部５５としての隙間をもって収容される内鉢体５４と、を備えてなる植木鉢５０であって、内鉢体５４の側壁の上端面にフランジ部５２ａが設けてあり、当該フランジ部５２ａと、外鉢体５２の側壁の上端面と、の間に、弾性部材５６ａを含んで構成されてなるシール部５６が設けてあり、当該シール部５６の下方に、上下位置可変部材５３が設けてあり、かつ、給水部５５に貯蔵された水（Ｗ）を、内鉢体５４の内部に、不織布部材６０を介して、供給することを特徴とする植木鉢５０である。
以下、第１の実施形態と異なる態様（上下位置可変部材等）を中心として、第２の実施形態の植木鉢を具体的に説明する。
【００４４】
１．外鉢体
第２の実施形態の植木鉢５０における外鉢体５２の形態は、第１の実施形態の植木鉢１０のそれとほぼ同様である。
但し、第１の実施形態の植木鉢１０の場合、外鉢体１２の内部底面と、内鉢体１４の外部底面とが、上下位置可変部材１３を介して、連結されていることから、その上下位置可変部材１３の一部である雌ねじ部１４ｄが、外鉢体１２の内部底面に設けてあるという特徴がある。
それに対して、第２の実施形態の植木鉢５０の場合、図５に示すように、シール部５６の下方に、上下位置可変部材５３としてのねじ部が設けてある。
したがって、第２の実施形態の植木鉢５０を、第１の実施形態の植木鉢１０と比較すると、図５に示すように、所定場所に、上下位置可変部材５３として、ねじ部が設けてあるとともに、外鉢体５２の側壁に、雄ねじ部（または雌ねじ部）が設けてあるという相違点がある。
【００４５】
２．内鉢体
また、第２の実施形態の植木鉢５０における内鉢体５４の形態も、第１の実施形態の植木鉢１０のそれとほぼ同様である。
但し、上述したように、第１の実施形態の植木鉢１０の場合、外鉢体１２の内部底面と、内鉢体１４の外部底面とが、上下位置可変部材１３を介して、連結されていることから、その上下位置可変部材１３の一部である雄ねじ部１２ｄが、内鉢体１４の外部底面に設けてある。
それに対して、第２の実施形態の植木鉢５０の場合、図５に示すように、シール部５６の下方に、上下位置可変部材５３が設けてある。
したがって、第２の実施形態の植木鉢５０を、第１の実施形態の植木鉢１０と比較すると、図５に示すように、所定場所に、上下位置可変部材５３として、ねじ部が設けてあるとともに、内鉢体５４の側壁に、雌ねじ部（または雄ねじ部）が設けてあるという相違点がある。
【００４６】
３．シール部
また、第２の実施形態の植木鉢５０におけるシール部５６の形態については、第１の実施形態の植木鉢１０のそれとほぼ同様であることから、詳細な比較説明は省略する。
【００４７】
４．不織布部材
また、第２の実施形態の植木鉢５０における不織布部材６０の形態も、第１の実施形態の植木鉢１０のそれとほぼ同様であることから、詳細な比較説明は省略する。
【００４８】
５．給水部
また、第２の実施形態の植木鉢５０における、水を貯蔵するとともに、所定量ずつ供給するための給水部５５の形態も、第１の実施形態の植木鉢１０のそれとほぼ同様であることから、詳細な比較説明は省略する。
【００４９】
６．上下位置可変部材
第２の実施形態の植木鉢５０において、第１の実施形態で説明した、シール性を調整する上下位置可変部材（ねじ部等）５３を、図５に示すように、シール部５６の下方に設けたことを特徴とする。
すなわち、図６（ｂ）に示すように、上下位置可変部材の一部として、雄ねじ部５４ｄを内鉢体５４に設け、さらには、図６（ｃ）に示すように、上下位置可変部材の一部として、雌ねじ部５２ｄを外鉢体５２に設けることによって、シール部５６を形成することができる。
また、上下位置可変部材の一部として、雌ねじ部を内鉢体に設け、さらには、上下位置可変部材の一部として、雄ねじ部を外鉢体に設けることによっても、シール部を形成することができる。
いずれにしても、所定のシール部５６を形成することによって、外鉢体５２と、内鉢体５４とを螺合できるとともに、外鉢体５２と、内鉢体５４との間の相対距離をそれなりに可変とし、水（Ｗ）を収容する給水部５５の内圧を調整することができる。
したがって、このように構成することによって、簡易な構造であっても、良好なシール性を精度良く発揮し、ひいては、より長期間にわたる水の供給速度の調節が可能となる。
【００５０】
７．構成材料
第２の実施形態の植木鉢５０において、外鉢体および内鉢体の構成材料については、第１の実施形態の植木鉢のそれと同様であって、ポリシクロヘキサンジメチレンテレフタレート（ＰＣＴ）、ポリシクロヘキサンジメチレンテレフタレートのアルコール変性物（ＰＣＴＡ）、およびポリシクロヘキサンジメチレンテレフタレートのグリコール変性物（ＰＣＴＧ）等の一種単独または二種以上の組み合わせであることが好ましい。
また、最内鉢の構成材料についても、第１の実施形態の植木鉢のそれと同様であるが、オレフィン樹脂等であることが好ましい。
【００５１】
８．使用方法
また、第２の実施形態の植木鉢の使用方法についても、特に制限されるものではないが、下記工程に準じて、実施することが好ましい。
（１）所定容積のＰＣＴＡ樹脂製の内鉢体の底部付近に水の浸入口を有する内鉢体を準備した。
（２）次いで、内鉢体の底部に、所定厚さ、所定直径の不織布部材を収容した。
（３）次いで、図６（ａ）に示される最内鉢を準備した後、その中に、所定平均粒径の多孔質材を充填し、さらに、所定高さの観葉植物を挿入した。
（４）次いで、内鉢体の内部における不織布部材の上に、観葉植物を、図６（ａ）に示される最内鉢に挿入した状態で、配置した。
（５）次いで、所定容積のＰＣＴＡ樹脂製の外鉢体の内部の目盛りに準じて、外鉢体に、所定量の水を投入した。
（６）次いで、水が投入された外鉢体の内部に、最内鉢に挿入した状態の観葉植物等を含む内鉢体を収容した。
（７）次いで、シール部の下方であって、かつ、外鉢体と、内鉢体との間に設けてあるねじ部を螺合させて、外鉢体の内部における内鉢体の高さを調整するとともに、弾性部材（Ｏ−リング）が装着されたシール部におけるシール性を調整し、小型観葉植物とした。
（８）その後、１２時間あたりの供給速度を測定し、所定値を過度に超えている場合には、外鉢体の内側底部と、内鉢体の外側底部との間に設けてあるねじ部をさらに螺合させて、シール部におけるシール性を調整して、供給速度を所定範囲内の値（一例として、２０ｍｍ3／１５日)とした小型観葉植物とした。
【実施例】
【００５２】
以下、本発明を実施例によってさらに詳細に説明する。ただし、以下の説明は、本発明を例示的に示すものであり、特に理由なく、これらの記載によって制限されるものではない。
【００５３】
［実施例１］
１．植木鉢の製造
（１）工程（１）
射出成形装置を用いて、ポリエステル樹脂としてのＰＣＴＡ樹脂であるＥａｓｔａｒＡＮ０１４（イーストマンケミカル社製）を配合し、図１に示すような植木鉢の外鉢体を射出成形した。
すなわち、射出成形装置の射出温度を２８０℃、射出圧力を５００ｋｇｆ／ｃｍ2として、ＰＣＴＡ樹脂製の植木鉢の外鉢体を製造した。
【００５４】
また、同様に、射出成形装置を用いて、ポリエステル樹脂としてのＰＣＴＡ樹脂であるＥａｓｔａｒＡＮ０１４（イーストマンケミカル社製）から、植木鉢の内鉢体を射出成形した。
すなわち、射出成形装置の射出温度を２８０℃、射出圧力を５００ｋｇｆ／ｃｍ2として、植木鉢の内鉢体を製造した。
【００５５】
（２）工程（２）
次いで、下記工程に準じて、小型観葉植物を作成した。
１）図２に示すような、容積７５ｍｍ3のＰＣＴＡ樹脂製の内鉢体の底部付近に、高さ５ｍｍの円筒形の脚部と、ガイド部材付きねじ部（約４周で螺合）と、水の浸入口（開口面積：２ｍｍ2）と、を有する内鉢体１４を準備した。
２）次いで、内鉢体１４の上方であって、かつ、底部に、図３（ａ）〜（ｂ）に示すように、厚さ２ｍｍ、直径５５ｍｍの円形のポリエチレン製の不織布部材２０であって、長さ１ｃｍの側方突起を有する不織布部材を収容した。
３）次いで、内鉢体の内部に、平均粒径６ｍｍのハイドロカルチャー用多孔質材（商品名：ハイドロボール、柴田園芸刃物（株）製）を充填した。
４）次いで、図４（ｃ）に示すように、高さが１０ｃｍであって、根部分に、スポンジ状物を巻きつけてなる観葉植物（カポック）を、内鉢体に充填された、複数の多孔質材の隙間内部に移植した。
５）次いで、図１に示すような、容積１２０ｍｍ3のＰＣＴＡ樹脂製の外鉢体を準備し、側壁に設けた目盛りに準じて、水を２０ｍｍ3投入した。
６）次いで、水が投入された外鉢体の内部に、観葉植物等が移植されてなる内鉢体を収容した。
７）次いで、外鉢体の内側底部と、内鉢体の外側底部との間に設けてあるねじ部を螺合させて（最大４周のうち、４周、以下、シール性１と称する場合がある。）、外鉢体の内部における内鉢体の高さを調整するとともに、オレフィン樹脂製の弾性部材（Ｏ−リング）が装着されたシール部におけるシール性を調整し、小型観葉植物とした。
８）その後、１２時間あたりの供給速度を測定し、所定値を超えている場合には、外鉢体の内側底部と、内鉢体の外側底部との間に設けてあるねじ部をさらに螺合または螺合をといて、シール性を微妙に調整して、供給速度を所定範囲内の値（約２０ｍｍ3／１５日）とした小型観葉植物（以下、タイプ１と称する場合がある。）とした。
【００５６】
２．植木鉢の評価
（１）水の供給速度
作成した小型観葉植物につき、給水後、１５日経過後における給水部における水量変化から、下記基準に沿って、水の供給速度を評価した。
◎：水の供給速度が、１２〜２５ｍｍ3／１５日の範囲である。
○：水の供給速度が、１０〜１２ｍｍ3／１５日未満、または、２５〜３０ｍｍ3／１５日の範囲である。
△：水の供給速度が、８〜１０ｍｍ3／１５日未満、または、３０超〜４５ｍｍ3／１５日の範囲である。
×：水の供給速度が、８ｍｍ3／１５日未満、または、４５超ｍｍ3／１５日の範囲である。
【００５７】
（２）水やり性
作成した小型観葉植物につき、給水後、１５日経過後における観葉植物（葉）の給水後の状態変化から、下記基準に沿って、水やり性を評価した。
◎：観葉植物（葉）が大変水々しい状態である。
○：観葉植物（葉）が水々しい状態である。 
△：観葉植物（葉）が若干しぼんだ状態である。 
×：観葉植物（葉）が少々枯れたような状態である。 
【００５８】
（３）根腐れ性
給水部に対して、１５日ごとに、２０ｍｍ3の水を給水し、１月経過後に、観葉植物（根）の状態変化や悪臭の発生から、下記基準に沿って、根腐れ性を評価した。
◎：根腐れが全く発生しておらず、悪臭の発生も全くない。
○：根腐れが発生しておらず、悪臭の発生もほぼない。
△：根腐れが一部発生しており、若干の悪臭の発生がある。 
×：根腐れが明らかに発生しており、悪臭の発生がある。
【００５９】
（４）耐加水分解性
給水部に対して、１５日ごとに、２０ｍｍ3の水を給水し、４月間、露天状態に放置した後に、給水部の状態変化から、下記基準に沿って、植木鉢の耐加水分解性を評価した。
◎：植木鉢において、初期の透明性等をそのまま維持している。
○：植木鉢において、初期の透明性等をほぼ維持している。
△：植木鉢において、初期の透明性等が低下し、一部白色化したり、ひびの発生が観察される。
×：植木鉢において、初期の透明性等が顕著に低下し、白色化したり、顕著なひびの発生が観察される。
【００６０】
［実施例２］
実施例２では、ねじ部の螺合程度を、最大４周のうち、３周とした（以下、シール性２と称する場合がある。）以外は、実施例１と同様に植木鉢を含む小型観葉植物を作成し、根腐れ性等を評価した。得られた結果を、表１に示す。
【００６１】
［実施例３］
実施例３では、ねじ部の螺合程度を、最大４周のうち、２周とした（以下、シール性３と称する場合がある。）以外は、実施例１と同様に植木鉢を含む小型観葉植物を作成し、根腐れ性等を評価した。得られた結果を、表１に示す。
【００６２】
［実施例４］
実施例４では、ねじ部の螺合程度を、最大４周のうち、１周とした（以下、シール性４と称する場合がある。）以外は、実施例１と同様に植木鉢を含む小型観葉植物を作成し、根腐れ性等を評価した。得られた結果を、表１に示す。
【００６３】
［実施例５〜８］
実施例５〜８では、図５および図６（ａ）〜（ｃ）に示される、最内鉢、内鉢体、外鉢体、およびこれらを組み合わせてからなる植木鉢（以下、タイプ２と称する場合がある。）を用いた以外、実施例１〜４と同様に、根腐れ性等を評価した。
但し、かかる植木鉢は、内鉢体と、外鉢体との間にシール部があって、雄ねじ部が、内鉢体の上部外表面に設けてあるとともに、雌ねじ部が、外鉢体の上部内表面に設けてあり、外鉢体を、内鉢体に対して、半周回すと、完全螺合されて、シール部が完全シールされる構成である。
したがって、実施例５では、外鉢体を、内鉢体に対して、スタート位置から半周回し（１／２周回、以下、シール性１´と称する場合がある。）、完全螺合した状態とした。
また、実施例６では、外鉢体を、内鉢体に対して、スタート位置から２／５周回（以下、シール性２´と称する場合がある。）して、ほぼ完全螺合した状態とした。
また、実施例７では、外鉢体を、内鉢体に対して、スタート位置から１／３周回（以下、シール性３´と称する場合がある。）して、ほぼ螺合した状態とした。
さらに、実施例８では、外鉢体を、内鉢体に対して、スタート位置から１／４周回（以下、シール性４´と称する場合がある。）して、緩い螺合状態とした。
それぞれ得られた結果を、表１に示す。
【００６４】
［比較例１］
比較例１では、タイプ１の植木鉢を用い、ねじ部の螺合程度を、最大４周のうち０周、すなわち、螺合しない状態である（以下、シール性５と称する場合がある。）以外は、実施例１と同様に植木鉢を含む小型観葉植物を作成し、根腐れ性等を評価した。得られた結果を、表１に示す。
【００６５】
［比較例２］
比較例２では、タイプ２の植木鉢を用い、外鉢体を、内鉢体に対して、初期的嵌合位置から動かさない、すなわち、螺合させない状態とした（以下、シール性５´と称する場合がある。）以外は、実施例５と同様に植木鉢を含む小型観葉植物を作成し、根腐れ性等を評価した。得られた結果を、表１に示す。
【００６６】
［比較例３］
比較例３では、通常のポリエステル樹脂（ＰＥＴ６２８６ＲＧ粉砕品、弘英産業株式会社製）を用い、射出成形してなるタイプ１の植木鉢を用い、かつ、外鉢体を、内鉢体に対して、初期的嵌合位置から動かさない、すなわち、螺合させない状態とした（以下、シール性５´と称する場合がある。）以外は、実施例５と同様に植木鉢を含む小型観葉植物を作成し、根腐れ性等を評価した。得られた結果を、表１に示す。
【００６７】
【表１】
2018029564.tif 000003
【産業上の利用可能性】
【００６８】
本発明の植木鉢によれば、植木鉢のサイズにもよるが、所定のシール部を構成することにより、簡易構造であっても、例えば、１５日以上の比較的長期間にわたって、水の供給速度を調整できるようになった。
したがって、植木が欲する量の水供給で済むことから、根腐れの発生が少なく、かつ、所定期間内の水遣り回数を少なくすることが可能となった。
また、水の供給部を形成する、外鉢体や内鉢体を、所定特殊ポリエステル樹脂から構成することによって、通常のポリエステル樹脂と比較して、良好な耐加水分解性や透明性（着色透明性も含む。）等が得られ、耐久性が飛躍的に増大し、かつ、供給部に残存する水量を目視観察することも可能となった。
【００６９】
そして、本発明の植木鉢によれば、開口部の円相当径（直径）として、３〜１２ｃｍ程度の比較的小型の植木鉢を対象とした場合、少なくとも一つの上下位置可変部材（ねじ部等）によっても、外鉢体と、内鉢体との間のシール性を容易に制御できることから、より好適な態様であると言える。
但し、開口部の円相当径（直径）が１２ｃｍを超えるような、比較的中型、あるいはそれ以上の大型の植木鉢であっても、例えば、シール部を二重に設けたり、一箇所のシール部において、複数の弾性部材を設けたり、さらには、シール性を調節する上下位置可変部材を、複数設けたりすることによって、好適に適用することが期待される。
【符号の説明】
【００７０】
１０：植木鉢
１１：多孔質材（ハイドロボール）
１２：外鉢体
１２ａ：フランジ部
１２ｂ：側壁
１２ｂ´：上端面
１２ｃ：底部
１２ｄ：上下位置可変部材の一部（雄ねじ部）
１２ｅ：給水目盛り
１２ｆ：中心部
１２ｇ：ガイド部材
１３：上下位置可変部材
１４：内鉢体
１４ａ：折り返し部
１４ｂ：側壁
１４ｃ：底面
１４ｄ：上下位置可変部材の一部（雌ねじ部）
１４ｅ：脚部
１４ｆ：中心部
１４ｇ：ガイド部材
１４ｈ：通過口
１５：給水部
１６：シール部
１６ａ：弾性部材
２０：不織布部材
２０ａ：本体
２０ｂ：突起部
３０：観葉植物（植木）
３２：保護部材
５０：植木鉢
５０ａ：最内鉢
５０ａ´：スリット
５２：外鉢体
５２ａ：フランジ部
５２ｄ：上下位置可変部材の一部（雄ねじ部）
５３：上下位置可変部材（ねじ部）
５４：内鉢体
５４ａ：折り返し部
５４ｄ：上下位置可変部材の一部（雌ねじ部）
５５：給水部
５６：シール部
５６ａ：弾性部材
【図１】
2018029564.tif 000004
【図２】
2018029564.tif 000005
【図３】
2018029564.tif 000006
【図４】
2018029564.tif 000007
【図５】
2018029564.tif 000008
【図６】
2018029564.tif 000009
【図７】
2018029564.tif 000010
【図８】
2018029564.tif 000011